【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
−光を受けるように適合された第１表面を有する光透過手段（２５）であって、該光透過手段（２５）は受けた光を第１表面に沿って光透過手段（２５）の内側に透過するように適合されている、
−前記第１表面により受け、前記光透過手段（２５）により第１表面に沿って透過された光を受けて、対応する信号を出力するように適合された第１と第２の受光手段（２１）であって、該受光手段（２１）は少なくとも２つの異なる領域又は点で受ける光を検出する２つの検出器（２１）からなり、及び
−前記受光手段（２１）からの信号に基づいて、光を受けた前記第１表面の位置を決定する手段を有するタッチパッドにおいて、
前記検出器（２１）は、各領域又は点で検出した光の入射角を決定するように適合され、各検出器（２１）は、複数の検出点又は領域を有し、前記第１面上の２つの異なる点からの光が前記少なくとも１つの検出器（２１）の異なる点／領域で検出されるように配置された少なくとも１つの１次元検出器（２１）であることを特徴とするタッチパッド。
【請求項２】
さらにディスプレイ又はモニター（６５）を有し、該ディスプレイ又はモニター（６５）は、前記光透過手段（２５）の第１表面を介して情報を提供し又は表示するように配置されている請求項１に記載のタッチパッド。
【請求項３】
前記光透過手段（２５）は、その表面に光透過コーティング又は層（２６）を有する少なくとも実質的に平坦な光透過部材からなり、その上面は前記光透過手段（２５）の第１面を形成している請求項１又は２に記載のタッチパッド。
【請求項４】
前記光透過部材は、光透過ディスプレイ又はモニター（６５）からなる請求項３に記載のタッチパッド。
【請求項５】
さらに、前記第１表面に配置されたフレキシブル要素（３５）と、該フレキシブル要素（３５）に光を透過する発光器とを有し、前記フレキシブル要素（３５）は、第１表面に向かって押し下げられる押下げ部（４０）を有し、前記フレキシブル要素（３５）からの光を前記押下げ部（４０）において前記光透過部材に導くように適合されている請求項１から４のいずれかに記載のタッチパッド。
【請求項６】
前記フレキシブル要素（３５）は、前記第１表面に向かって押し下げられるように適合された多数の所定の第１領域を有する第１の側面と、前記所定の第１領域に対向する領域に、第１非押下げ位置では前記第１表面に対して離隔して第２押下げ位置では前記第１表面に接触する第２領域（４０）を有する第２の側面とを有する請求項５に記載のタッチパッド。
【請求項７】
前記フレキシブル要素（３５）は、前記第２領域の間に、前記フレキシブル要素からの光が前記第１表面に透過するのを防止する手段（４１）を有する請求項６に記載のタッチパッド。
【請求項８】
さらに押下げ手段を有し、該押下げ手段は、前記第１表面に向かって押し下げられるように適合された多数の所定の第１領域を有する第１の側面と、前記所定の第１領域に対向する領域に、第１非押下げ位置では前記フレキシブル要素を実質的な程度まで押し下げないで第２押下げ位置では前記フレキシブル要素を押し下げる押下げ要素（４０）を有する第２の側面とを有する請求項５に記載のタッチパッド。
【請求項９】
前記押下げ手段は、該押下げ部材の残りの部分に対して回転可能である少なくとも実質的に硬い部材を有し、該硬い部材は、その第１側面に複数の第１領域を有し、その第２側面に複数の押下げ要素を有する請求項８に記載のタッチパッド。
【請求項１０】
さらにエレメント（３５）を有し、該エレメントは、ユーザが係合する多数の所定の第１位置を有する第１側面と、前記第１位置に対応する多数の第２位置又は領域（４０）を有する第２側面とを有し、前記エレメント（３５）は、第１位置がユーザにより係合されたとき、対応する第２位置（４０）から光を放射するように適合され、前記第２側面は、放射された光が前記第１表面により受けられるように配置されている請求項１から９のいずれかに記載のタッチパッド。
【請求項１１】
前記検出手段（２１）は、各領域又は点に、該領域又は点で受けた光を前記検出器（２１）に導く反射手段又はレンズ手段（１０，１３，２７，２８，２９，３０，３１，３２，６０）からなる請求項１から１０のいずれかに記載のタッチパッド。
【請求項１２】
前記受光手段（２１）は、前記第１表面の所定の点で放射される光を２つの異なる方向に検出する手段と、光が検出された方向からの所定の点の位置を決定する手段とからなる請求項１から１１のいずれかに記載のタッチパッド。
【請求項１３】
前記検出手段（２１）は、２つの異なる方向に放射された光を前記検出器（２１）に導く反射手段又はレンズ手段（１０，１３，２７，２８，２９，３０，３１，３２，６０）とからなる請求項１２に記載のタッチパッド。
【請求項１４】
さらに前記第１表面の所定の点と前記１次元検出器（２１）との間に設けられた複数のスロット又は開口を有し、前記１次元検出器（２１）の検出点／領域は、少なくとも実質的に等距離にあり、２つの隣接するスロットに間の距離は、検出器（２１）の２つの隣接する領域／点の間の複数の距離と異なる請求項１から１３のいずれかに記載のタッチパッド。
【請求項１５】
前記検出器（２１）はＣＣＤ検出器（２１）からなる請求項１から１４のいずれかに記載のタッチパッド。
【請求項１６】
前記ＣＣＤ検出器（２１）は、多数列の検出点／領域を有する２次元検出器であり、各検出器（２１）は、少なくとも１列のＣＣＤ検出器（２１）からなる請求項１５に記載のタッチパッド。
【請求項１７】
さらに前記タッチパッドの回りからの光を１又は複数の他の列のＣＣＤ検出器（２１）に導く手段（２７，２８，２９）からなる請求項１６に記載のタッチパッド。
【請求項１８】
フィルタ手段又は前記反射／レンズ手段（１０，１３，２７，２８，２９，３０，３１，３２，６０）は、所定の波長の間隔内で、少なくとも実質的に光だけを透過するように適合されている請求項１から１７のいずれかに記載のタッチパッド。
【請求項１９】
前記タッチパッドはさらに、その１点から光を放射するように適合されたスタイラス又はペン（１）からなり、該スタイラス又はペン（１）は、前記第１表面に接触し及び／又は前記第１表面上を平行移動させると、光を前記光透過手段（２５）に透過するように適合されている請求項１から１８のいずれかに記載のタッチパッド。
【請求項２０】
さらに前記第１表面に少なくともほぼ平行な面で前記パッドの外側から光を受け、該光を前記光透過手段（２５）に移動させる手段（２７，２８）を有し、前記決定手段は、光が放射される前記パッドの外側の位置を決定するように適合されている請求項１から１９のいずれかに記載のタッチパッド。
【請求項２１】
前記受光手段は、前記パッドの外側からの光を前記面に沿って前記光透過手段（２５）に導くように配置されている少なくとも２つのレンズ手段又はミラー手段（２７，２８）からなる請求項２０に記載のタッチパッド。
【請求項２２】
前記レンズ又はミラー手段（２７，２８，２９）は、前記光透過手段（２５）の一部を形成している請求項２１に記載のタッチパッド。
【請求項２３】
さらに前記移動手段により前記光透過手段に移動された光を前記決定手段に導く手段を有する請求項２１又は２２に記載のタッチパッド。
【請求項２４】
さらにスタイラス又はペン（１）を有し、該スタイラス又はペンは、
−前記スタイラス又はペン（１）の所定の軸に沿った第１光透過チャンネル（８）、
−該第１光透過チャンネル（８）に光を供給する手段、
−前記第１光透過チャンネル（８）からの光を出力する手段、
−前記第１光透過チャンネル（８）から出力され、前記スタイラス又はペン（１）の外側に反射された光を受けるように適合された受光チャンネル（９）、及び
−該受光チャンネル（９）からの光を前記パッドの受光手段（２７，２８，２９）に導く手段（１８）
からなる請求項１から２３のいずれかに記載のタッチパッド。
【請求項２５】
タッチパッドを操作する方法において、該方法は、
−光を受けるように適合された第１表面を有する光透過手段（２５）を設け、
−少なくとも２つの検出器（２１）からなる第１と第２の手段（２１）であって、各検出器（２１）が多数の検出点又は流域を有する少なくとも１次元検出器（２１）である第１と第２の手段（２１）を設け、
−前記第１表面で光を受け、
−受けた光を前記第１表面に沿って前記光透過手段（２５）の内側に透過し、
−第１及び第２手段（２１）により透過された光を検出し、
−前記第１及び第２手段（２１）から、対応する信号を出力し、
−前記受光手段（２１）からの信号に基づいて、受けた光を有する前記第１表面の位置を決定することからなり、
前記検出工程は、少なくとも２つの異なる領域又は点で受ける光を検出することからなり、前記決定手段は、各領域又は点で検出した光の入射角を決定することからなり、
前記方法はさらに、前記第１表面上の２つの異なる点からの光が前記少なくとも１つの検出器（２１）の異なる点／領域で検出する工程を有する、
タッチパッドを操作する方法。
【請求項２６】
さらに、ディスプレイ又はモニタ（６５）により又はそれから光透過手段の第１表面を通して情報を提供し又は表示するディスプレイ又はモニターを有する請求項２５に記載の方法。
【請求項２７】
前記光透過手段を設ける工程は、その表面に光透過コーティング又は層を有し、上面が前記光透過手段の第１表面を形成する少なくとも実質的に平坦な光透過部材からなる光透過手段（２５）を設ける工程からなる請求項２５又は２６に記載の方法。
【請求項２８】
前記光透過手段を設ける工程は、光透過ディスプレイ又はモニター（６５）からなる部材を設ける工程からなる請求項２７に記載の方法。
【請求項２９】
前記タッチパッドはさらに、前記第１表面に配置されたフレキシブル要素（３５）と、該フレキシブル要素（３５）に光を透過する発光器とを有し、
前記方法は、前記フレキシブル要素の一部（４０）を第１表面に向かって押し下げ、前記フレキシブル要素（３５）からの光を前記押下げ部（４０）において前記光透過部材に導く工程を有する請求項２５−２８のいずれかに記載の方法。
【請求項３０】
前記フレキシブル要素（３５）は、前記第１表面に向かって押し下げられるように適合された多数の所定の第１領域を有する第１の側面と、前記所定の第１領域に対向する領域に第２領域（４０）を有する第２の側面とを有し、
前記方法は、１又はそれ以上の前記第１領域を押し下げ、１又はそれ以上の対応する第２領域（４０）を、前記対応する第２領域（４０）が前記第１表面に対して離隔する第１非押下げ位置から、前記対応する第２領域（４０）が前記第１表面に接触する第２押下げ位置にもってゆく工程を有する請求項２９に記載の方法。
【請求項３１】
前記第２領域の間に、前記フレキシブル要素からの光が前記第１表面に透過するのを防止する工程をさらに有する請求項３０に記載の方法。
【請求項３２】
前記タッチパッドは、押下げ手段を有し、
該押下げ手段は、前記第１表面に向かって押し下げられるように適合された多数の所定の第１領域を有する第１の側面と、前記所定の第１領域に対向する領域に、押下げ要素（４０）を有する第２の側面とを有し、
前記方法は、１又はそれ以上の前記対応する押下げ要素（４０）を、前記フレキシブル要素（３５）を実質的な程度まで押し下げない第１非押下げ位置から、前記フレキシブル要素（３５）を押し下げる第２押下げ位置までもってゆくように、１又はそれ以上の前記押下げ要素の第１領域を押し下げる工程を有する請求項２９に記載の方法。
【請求項３３】
前記押下げ手段は、少なくとも実質的に硬い部材を有し、該硬い部材は、その第１側面に複数の第１領域を有し、その第２側面に複数の押下げ要素を有し、
前記方法は、１又はそれ以上の第２領域を第１位置から第２位置にもってゆくように、前記硬い部材を前記押下げ部材の残りの部分に対して回転させる工程を含む請求項３２に記載の方法。
【請求項３４】
前記タッチパッドは、さらにエレメント（３５）を有し、該エレメントは、ユーザが係合する多数の所定の第１位置を有する第１側面と、前記第１位置に対応する多数の第２位置又は領域（４０）を有する第２側面とを有し、
前記方法は、第１位置がユーザにより係合されたとき、対応する第２位置（４０）から光を放射し、放射された光が前記第１表面により受ける工程を有する請求項２５−３３のいずれかに記載の方法。
【請求項３５】
反射手段又はレンズ手段（１０，１３，２７，２８，２９，３０，３１，３２，６０）を使用して、前記領域又は点で受けた光を前記検出器（２１）に導く工程からなる請求項２５−３４に記載の方法。
【請求項３６】
前記検出及び決定工程は、前記第１表面の所定の点で放射される光を２つの異なる方向に検出することと、光が検出された方向からの所定の点の位置を決定することを含む請求項２５−３５のいずれかに記載の方法。
【請求項３７】
反射手段又はレンズ手段（１０，１３，２７，２８，２９，３０，３１，３２，６０）を使用して、２つの異なる方向に放射された光を前記検出器（２１）に導くことを含む請求項３６に記載の方法。
【請求項３８】
さらに前記第１表面の所定の点と前記１次元検出器（２１）との間に複数のスロットを設ける工程を有し、
前記１次元検出器（２１）の検出点／領域は、少なくとも実質的に等距離にあり、２つの隣接するスロットに間の距離は、検出器（２１）の２つの隣接する領域／点の間の複数の距離と異なる請求項２５−３７のいずれかに記載の方法。
【請求項３９】
前記タッチパッドは、多数列の検出点／領域を有する２次元ＣＣＤ検出器（２１）を有し、
前記検出工程は、前記透過手段により透過される光を１又はそれ以上の列の検出点／要素により検出することからなる請求項２５−３８のいずれかに記載の方法。
【請求項４０】
前記方法はさらに、前記タッチパッドの回りからの光を１又は複数の他の列のＣＣＤ検出器（２１）に導く工程を有する請求項３９に記載の方法。
【請求項４１】
さらに、所定の波長の間隔内で、少なくとも実質的に光だけを透過する工程を有する請求項３９−４０のいずれかに記載の方法。
【請求項４２】
前記光を供給する工程は、その１点から光を放射するスタイラス又はペン（１）を設けることを含み、前記第１表面に接触し及び／又は前記第１表面上を平行移動させると、光を前記光透過手段（２５）に透過する請求項２５−４１のいずれかに記載の方法。
【請求項４３】
さらに
−前記第１表面に少なくともほぼ平行な面で前記パッドの外側から光を受け、
−該光を前記光透過手段に移動させる
工程を有し、
前記決定工程は、光が放射される前記パッドの外側の位置を決定することからなる請求項２５−４２のいずれかに記載の方法。
【請求項４４】
さらに、前記パッドの外側からの光を前記面に沿って前記光透過手段（２５）に導くように配置されている少なくとも２つのレンズ手段又はミラー手段（２７，２８）を設けること有する請求項４３に記載の方法。
【請求項４５】
前記光透過手段（２５）と前記レンズ又はミラー手段（２７，２８）を設ける工程は、前記光透過手段（２５）と前記レンズ又はミラー手段（２７，２８）を単一要素として設けることからなる請求項４４に記載の方法。
【請求項４６】
さらに前記移動手段により前記光透過手段（２５）に移動された光を前記決定手段に導く工程を有する請求項４４又は４５に記載の方法。
【請求項４７】
前記方法は、スタイラス又はペン（１）を移動することからなり、該スタイラス又はペンは、
−前記スタイラス又はペン（１）の所定の軸に沿った第１光透過チャンネル（８）、
−該第１光透過チャンネル（８）に光を供給する手段、
−前記第１光透過チャンネル（８）からの光を出力する手段、
−前記第１光透過チャンネル（８）から出力され、前記スタイラス又はペン（１）の外側に反射された光を受けるように適合された受光チャンネル（９）、及び
−該受光チャンネル（９）からの光を前記パッドの受光手段（２７，２８，２９）に導く手段
からなり、
光反射を変化させる領域を有する面の上で、前記光又はスタイラス（１）は、強度が変化する光をタッチパッドに導き、
ここで前記決定工程は、光の強度の変化から情報を決定することからなる請求項４３に記載の方法。
【請求項４８】
前記方法は、前記スタイラス又はペン（１）を使用して、前記第１表面で光を供給することからなり、
前記方法はさらに、放射された光の強度及び／又は波長を変化させる工程を有し、前記変化はユーザにより制御可能な制御手段（６２）により制御され、
前記決定工程は、前記変化を検出することからなる請求項２５−４７のいずれかに記載の方法。
【請求項４９】
前記変化工程は、ユーザがスタイラス（１）の領域（６２）を押し下げることを含み、その押下げは強度及び／又は波長の変化を促進する請求項４８に記載の方法。